(57)【要約】      （修正有）【課題】地震で左右方向に大きく揺れ動いても揺れ動きをスムーズに吸収することができ、揺れ動きが停止すると自動的に元の状態に戻り、左右の目地天井パネルの上面に大きな隙間がなくても設置できる天井用目地装置を提供する。【解決手段】目地部２を介して設けられた左右の建物３の一方の建物３の躯体に先端部が目地部２の中央部の天井部分に位置し逆山形状あるいは逆台形状に中央支持体７を下方へ回動できるように支持する中央支持機構８と、中央支持体７を通常時には目地部２の中央部に位置させ地震時には中央支持体７を下方へ回動させる中央支持機構支持具９と、先端部が中央支持体７の両先端部に支持され後端部が左右の建物の天井部分の外壁躯体３ａに取付けられた左右の目地天井パネル１１と、左右の目地天井パネル１１を通常時には水平状態に保ち地震には先端部を下方へ回動させる左右の目地天井パネル支持具１２とで、天井用目地装置１を構成する。【選択図】図１
2015218545.tif 000002
【特許請求の範囲】
【請求項１】
目地部を介して設けられた左右の建物の一方の建物の躯体に先端部が、該目地部の中央部の天井部分に位置し、略逆山形状あるいは略逆台形状に中央支持体を下方へ回動できるように支持する、少なくとも２個以上の中央支持機構と、この少なくとも２個以上の中央支持機構を、中央支持体を通常時には目地部の中央部に位置させ、地震で目地部が狭くなると中央支持体を下方へ回動させる中央支持機構支持具と、先端部が前記少なくとも２個以上の中央支持機構の中央支持体の両先端部に支持されて水平状態となるように、後端部が前記左右の建物の天井部分の外壁躯体に取付けられた左右の目地天井パネルと、この左右の目地天井パネルを通常時には水平状態に保つとともに、地震で目地部が狭くなると先端部を下方へ回動させる左右の目地天井パネル支持具とからなることを特徴とする天井用目地装置。
【請求項２】
左右の目地天井パネルの先端部の一方の上面には地震で目地部が狭くなると、該左右の目地天井パネルの先端部が係合して合掌状態を保つことができるストッパーが設けられていることを特徴とする請求項１記載の天井用目地装置。
【発明の詳細な説明】
【技術分野】
【０００１】
本発明は目地部を介して設けられた左右の建物間に天井を設ける場合の天井用目地装置に関する。
【背景技術】
【０００２】
従来、この種の天井用目地装置は目地部の左右の躯体にヒンジ部材を介して、目地部を覆うように一対の天井目地パネルを設け、地震で目地部が狭くなる揺れ動き時に一対の天井目地パネルの先端部の傾斜面によって、上方あるいは下方へ回動して、その揺れ動きを吸収するように構成されている。
【０００３】
このため、小さな左右方向の異なる揺れ動きは安全に吸収することができるが、目地部の左右方向の寸法の半分以上、左右の建物が地震で揺れ動いた場合、一方の天井目地パネルが左右の目地部側の躯体によって押し圧され、損傷するという欠点があった。
【先行技術文献】
【特許文献】
【０００４】
【特許文献１】特開２００４−１２４５７１号公報
【特許文献２】特許第４９０７６１４号公報
【発明の概要】
【発明が解決しようとする課題】
【０００５】
本発明は以上のような従来の欠点に鑑み、地震で異なる左右方向に大きく揺れ動いても損傷することなく、その揺れ動きをスムーズに吸収することができ、揺れ動きが停止すると自動的に元の状態に戻り、かつ左右の目地天井パネルの上面に大きな隙間がなくても設置することができる天井用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の一方の建物の躯体に先端部が、該目地部の中央部の天井部分に位置し、略逆山形状あるいは略逆台形状に中央支持体を下方へ回動できるように支持する、少なくとも２個以上の中央支持機構と、この少なくとも２個以上の中央支持機構を、中央支持体を通常時には目地部の中央部に位置させ、地震で目地部が狭くなると中央支持体を下方へ回動させる中央支持機構支持具と、先端部が前記少なくとも２個以上の中央支持機構の中央支持体の両先端部に支持されて水平状態となるように、後端部が前記左右の建物の天井部分の外壁躯体に取付けられた左右の目地天井パネルと、この左右の目地天井パネルを通常時には水平状態に保つとともに、地震で目地部が狭くなると先端部を下方へ回動させる左右の目地天井パネル支持具とで天井用目地装置を構成している。
【発明の効果】
【０００８】
以上の説明から明らかなように、本発明にあっては次に列挙する効果が得られる。
（１）請求項１により、地震で目地部が狭くなるように揺れ動くと、左右の目地天井パネルが少なくとも２個以上の中央支持機構の略逆山形状あるいは略逆台形状の中央支持体によって、先端部が下方へ回動して、その揺れ動きを吸収することができる。
したがって、左右の目地天井パネルがほぼ垂直状態になるまで下方へ回動するので、目地部の左右方向の寸法が半分以下になっても損傷することなく、その揺れ動きを吸収することができる。
（２）前記（１）によって、左右の目地天井パネルの先端部間に略逆山形状あるいは略逆台形状の少なくとも２個以上の中央支持機構の中央支持体が位置するので、隙間が生じることなく、美観の向上を図ることができる。
（３）前記（１）によって、地震での揺れ動きが停止すると、中央支持機構支持具、目地天井パネル支持具によって、スムーズに確実に元の状態へ戻すことができる。
（４）前記（１）によって、少なくとも２個以上の中央支持機構および左右の目地天井パネルが下方へ回動するので、左右の目地天井パネルの上方に大きな隙間がなくても作動させることができ、天井の上部に大きな隙間がなくても設置することができる。
（５）請求項２も前記（１）〜（４）と同様な効果が得られるとともに、ストッパーによって、目地部が地震で狭くなった場合、左右の目地天井パネルを合掌状態で正確に回動させることができる。
【図面の簡単な説明】
【０００９】
【図１】本発明を実施するための第１の形態の平面図。
【図２】本発明を実施するための第１の形態の底面図。
【図３】図１の３−３線に沿う断面図。
【図４】図１の４−４線に沿う断面図。
【図５】本発明を実施するための第１の形態の地震で目地部が狭くなった状態の動作説明図。
【図６】本発明を実施するための第１の形態の地震で目地部が広くなった状態の動作説明図。
【図７】本発明を実施するための第２の形態の平面図。
【図８】図７の８−８線に沿う断面図。
【図９】本発明を実施するための第２の形態の地震で目地部が狭くなった状態の動作説明図。
【図１０】本発明を実施するための第３の形態の平面図。
【図１１】図１０の１１−１１線に沿う断面図。
【図１２】図１０の１２−１２線に沿う断面図。
【図１３】図１０の１３−１３線に沿う断面図。
【図１４】本発明を実施するための第３の形態の地震で目地部が狭くなった状態の動作説明図。
【発明を実施するための形態】
【００１０】
以下、図面に示す本発明を実施するための形態により、本発明を詳細に説明する。
【００１１】
図１ないし図６に示す本発明を実施するための第１の形態において、１は目地部２を介して設けられた左右の建物３、３間に天井４を設けた天井用目地装置で、この天井用目地装置１は前記左右の建物３、３の目地部２側の外壁面で、かつ天井部分よりも上部に複数本のアンカーボルト５等で固定され、躯体となる少なくとも２対以上の支持体６、６、６、６と、この２対以上の支持体６、６、６、６のうちの一方の建物３側に取付けられた支持体６、６に先端部が前記目地部２の中央部の天井部分に位置する略逆台形状の中央支持体７を下方へ回動できるように支持する、少なくとも２個以上の中央支持機構８、８と、この少なくとも２個以上の中央支持機構８、８を、前記中央支持体７を通常時には目地部２の中央部に位置させ、地震で目地部２が狭くなると、前記中央支持体７を下方へ回動させる中央支持機構支持具９、９と、先端部が前記少なくとも２個以上の中央支持機構８、８で支持されている中央支持体７の両先端部７ａ、７ａに支持されて水平状態となるように、後端部が前記左右の建物３、３の天井部分の外壁躯体３ａ、３ａに複数個のヒンジ部材１０で取付けられた左右の目地天井パネル１１、１１と、この左右の目地天井パネル１１、１１を通常時には水平状態に保つとともに、地震で目地部２が狭くなると先端部が下方へ回動させる目地天井パネル支持具１２、１２と、前記左右の目地天井パネル１１、１１の一方の先端部の上面に固定された、地震で目地部２が狭くなると、該左右の目地天井パネル１１、１１の先端部が係合して合掌状態を保つことができるストッパー１３とで構成されている。
【００１２】
前記中央支持機構支持具９、９は少なくとも２個以上の中央支持機構８、８の先端部に一端部が取付けられ、他端部が前記支持体６、６の上端に取付けられた先端部を上方へ付勢する付勢スプリング１４と、前記中央支持体７を前記左右の目地天井パネル１１、１１より上方へ回動するのを阻止する、少なくとも２個以上の中央支持機構８、８の中央部より先端部側に一端部が取付けられ、他端部が前記支持体６、６の下部側に取付けられたワイヤー１５、１５とで構成されている。
【００１３】
前記左右の天井パネル支持具１２、１２は前記左右の天井パネル１１、１１が水平状態になったところで当接する、前記支持体６、６、６、６の下端部に形成されたストッパー片１６、１６、１６、１６と、このストッパー片１６、１６、１６、１６に当るように付勢する一端部が左右の天井パネル１１、１１の中央部よりも先端部寄りの部位に取付けられ、他端部が前記支持体６、６、６、６の先端部の上部寄りの部位に取付けられた付勢スプリング１７、１７、１７、１７とで構成されている。
【００１４】
なお、最上階の部分の天井用目地装置１の上部には左右の建物３、３間の目地部２を覆う既存の屋上用目地カバー装置１８が設置されている。
【００１５】
上記構成の天井用目地装置１は、通常時には左右の建物３、３の天井部分間の目地部２には左右の天井パネル支持具１２、１２に支持され、ほぼ水平状態となる左右の天井パネル１１、１１と、中央支持機構支持具９、９に支持された前記中央支持体７が、前記左右の天井パネル１１、１１間に位置した状態で、図１に示すように覆われている。
【００１６】
地震で左右の建物３、３が揺れ動き、目地部２が狭くなると、図５に示すように中央支持体７は中央支持機構支持具９、９によって通常時の状態を保つとともに、左右の天井パネル１１、１１の先端部が左右の天井パネル支持具１２、１２の付勢力に抗して中央支持体７の傾斜面７ａ、７ａに沿って下方へ移動し、ストッパー片１６に天井パネル１１の先端部が当接し、合掌状態で下方へ回動して、その揺れ動きを吸収する。
【００１７】
また、大きく目地部２が狭くなると、中央支持機構支持具９、９の付勢力に抗して下方へ回動して、その揺れ動きを吸収する。
【００１８】
地震での揺れ動きが停止すると、左右の天井パネル支持具１２、１２の不勢力で元の状態へ自動的に戻る。
【００１９】
地震で左右の建物３、３が揺れ動き目地部２が広くなると、図６に示すように左右の天井パネル１１、１１が左右の天井パネル支持具１２、１２によって水平状態を保って、中央支持体７より先端部が離れるように移動して、その揺れ動きを吸収する。
【００２０】
このため、地震で目地部２が狭くなり、あるいは広くなるように揺れ動いても、中央支持体７、左右の天井パネル１１、１１が水平状態よりも上方に移動しないので、左右の天井パネル１１、１１よりも上方に大きな移動空間が不要で、屋上用目地カバー装置(既存のものを用いるので、図示せず)に衝突するような不具合は解消することができる。
【００２１】
[発明を実施するための異なる形態]
次に、図７ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図７ないし図９に示す本発明を実施するための第２の形態において、前記本発明を実施するための第１の形態と主に異なる点は、略逆三角形状の中央支持体７Ａを用いるとともに、左右の建物３、３の目地部２側の外壁面に位置をずらして、少なくとも２対以上の支持体６、６、６、６を設けた点で、このように少なくとも２対以上の支持体６、６、６、６を設けることにより、地震で目地部２が狭くなっても、少なくとも２対以上の支持体６、６、６、６の先端部が衝突しないので、より大きな揺れ動きを吸収できる天井用目地装置１Ａにすることができる。
【００２３】
図１０ないし図１４に示す本発明を実施するための第３の形態において、前記本発明を実施するための第１の形態と主に異なる点は、付勢スプリングの代わりにワイヤー１９と重り２０を用いた中央支持機構支持具９Ａ、９Ａと、付勢スプリングの代わりにワイヤー２１と重り２２を用いた左右の天井パネル支持具１２Ａ、１２Ａを用いた点で、このような中央支持機構支持具９Ａ、９Ａ、左右の天井パネル支持具１２Ａ、１２Ａを用いて構成した天井用目地装置１Ｂにしても、同様な作用効果が得られる。
【００２４】
なお、中央支持機構支持具９Ａ、９Ａのワイヤー１９、１９は支持体６、６の上部に形成した透孔２３、２３を通過させた状態で重り２０、２０を付けて使用するとともに、左右の天井パネル支持具１２Ａ、１２Ａのワイヤー２１、２１は支持体６、６の上部に形成した透孔２４、２４を通過させた状態で重り２２、２２を取付けて使用する。
【００２５】
また、重り２０、２０、２２、２２とワイヤー１９、１９、２２、２２が絡まないように離れた状態で位置させるとよい。
【産業上の利用可能性】
【００２６】
本発明は天井用目地装置を製造する産業で利用される。
【符号の説明】
【００２７】
１、１Ａ、１Ｂ：天井用目地装置、
２：目地部、        ３：建物、
４：天井、          ５：アンカーボルト、  
６：支持体、        ７、７Ａ：中央支持体、
８：中央支持機構、      ９、９Ａ：中央支持機構支持具、
１０：ヒンジ部材、      １１：目地天井パネル、
１２、１２Ａ：目地天井パネル支持具、
１３：ストッパー、      １４：付勢スプリング、
１５：ワイヤー、      １６：ストッパー片、
１７：付勢スプリング、    １９：ワイヤー、
２０：重り、                  ２１：ワイヤー、
２２：重り、                  ２３：透孔、
２４：透孔。
【図１】
2015218545.tif 000003
【図２】
2015218545.tif 000004
【図３】
2015218545.tif 000005
【図４】
2015218545.tif 000006
【図５】
2015218545.tif 000007
【図６】
2015218545.tif 000008
【図７】
2015218545.tif 000009
【図８】
2015218545.tif 000010
【図９】
2015218545.tif 000011
【図１０】
2015218545.tif 000012
【図１１】
2015218545.tif 000013
【図１２】
2015218545.tif 000014
【図１３】
2015218545.tif 000015
【図１４】
2015218545.tif 000016